(57)【要約】【課題】運転操作する操作装置の表面板の一部分には、上方へふくらませたふくらみ部を設け、このふくらみ部には、収穫作業中に頻繁に使用される各種レバー類を設けて、操作性の向上を図ろうとするものである。【解決手段】運転作業者が着座する操縦席８の前部には、操作装置９を設け、この操作装置９の表面板９ａの一部分を上方へふくらませたふくらみ部９ｂを設け、このふくらみ部９ｂへ主変速レバー１２ａと、スロットルレバー１２ｂとを設けた構成である。又、このスロットルレバー１２ｂは、主変速レバー１２ａの左前方斜め位置へ配設すると共に、この主変速レバー１２ａより、短くして設けた構成である。【選択図】図１
2006094781.tif 000002
【特許請求の範囲】
【請求項１】
走行車台２の前方上部には、運転作業者が着座する操縦席８と、該操縦席８の前部には、各部を始動・停止、及び調節等を行うときに操作する操作装置９等を設けたコンバインにおいて、前記操作装置９の表面板９ａには、一部分を上方へふくらませたふくらみ部９ｂを設けると共に、該ふくらみ部９ｂには、油圧式無段変速装置１０を変速操作する主変速レバー１２ａと、エンジン１１の回転を変速操作するスロットルレバー１２ｂ等とを設けたことを特徴とするコンバインの操作パネル。
【請求項２】
前記スロットルレバー１２ｂは、主変速レバー１２ａの左前方斜め位置へ配設すると共に、該主変速レバー１２ａより、短くして設けたことを特徴とする請求項１に記載のコンバインの操作パネル。
【発明の詳細な説明】
【技術分野】
【０００１】
走行車台の前方上部に設けて、運転操作する操作装置の表面板には、一部分を上方へふくらませたふくらみ部を設けると共に、このふくらみ部には、油圧式無段変速装置を変速する主変速レバーと、エンジンの回転数を変速するスロットルレバー等とを設けた技術であり、コンバインの操作パネルとして利用できる。
【背景技術】
【０００２】
コンバインで立毛穀稈の収穫を行うときに操作する制御パネル（操作装置）には、特開平８−８９０５７号公報で示す如く、この制御パネルは運転席の一方側に傾斜状に設けた。この制御パネルの上部位置にそれぞれ水平状に並列に、第一の切換スイッチ群の刈取制御と、扱深制御と、選別制御と、方向制御と、水平制御等の異なる第一の切換スイッチ群を設けると共に、下側には、第二の切換スイッチ群の標準／中割と、稲／麦との異なる第二の切換スイッチ群を設けて、これら第一・第二切換スイッチ群を操作して、穀稈の収穫作業が行われる。
【特許文献１】特開平８−８９０５７号公報
【発明の開示】
【発明が解決しようとする課題】
【０００３】
穀稈を収穫作業のときに、頻繁に使用される各種切換スイッチ、及び各種切換レバー等と、通常の使用範囲である切換スイッチ、及び切換レバー等との区別が容易にできるようにしようとして、操作性の向上をこの発明により、図ろうとするものである。
【課題を解決するための手段】
【０００４】
このために、この発明は、請求項１に記載の発明においては、走行車台２の前方上部には、運転作業者が着座する操縦席８と、該操縦席８の前部には、各部を始動・停止、及び調節等を行うときに操作する操作装置９等を設けたコンバインにおいて、前記操作装置９の表面板９ａには、一部分を上方へふくらませたふくらみ部９ｂを設けると共に、該ふくらみ部９ｂには、油圧式無段変速装置１０を変速操作する主変速レバー１２ａと、エンジン１１の回転を変速操作するスロットルレバー１２ｂ等とを設けたことを特徴とするコンバインの操作パネルとしたものである。
【０００５】
コンバインで立毛穀稈の収穫を行うときには、走行車台２の一方側の前方上部へ設けた、操縦席８へ運転作業者が着座し、この操縦席８の前方上部に設けた、操作装置９の表面板９ａの一部分を上方へふくらませた、ふくらみ部９ｂには、油圧式無段変速装置１０を変速操作する主変速レバー１２ａと、エンジン１１の回転を変速操作するスロットルレバー１２ｂとを設け、圃場の状態、及び穀稈の状態等により、頻繁に操作し、コンバインの各部の回転数を変更制御すると共に、走行速度を変更制御し、コンバインの各部の回転数、及び走行速度を圃場条件、及び穀稈条件に最適位置へ操作して、穀稈の収穫作業を行う。
【０００６】
請求項２に記載の発明においては、前記スロットルレバー１２ｂは、主変速レバー１２ａの左前方斜め位置へ配設すると共に、該主変速レバー１２ａより、短くして設けたことを特徴とする請求項１に記載のコンバインの操作パネルとしたものである。
【０００７】
前記エンジン１１の回転を変速操作するスロットルレバー１２ｂは、油圧式無段変速装置１０を変更操作する主変速レバー１２ａの左前方斜め位置へ配設すると共に、該主変速レバー１２ａの全長より、短くして設け、スロットルレバー１２ｂの操作を容易にして設けている。
【発明の効果】
【０００８】
請求項１に記載の発明においては、立毛穀稈を刈取り収穫作業のときに、操作する油圧式無段変速装置１０を変速操作する主変速レバー１２ａと、エンジン１１の回転を変速するスロットルレバー１２ｂとは、操作装置９の表面板９ａの一部分を上方へふくらませたふくらみ部９ｂへ設けたことにより、これらの各レバー１２ａ，１２ｂは、収穫作業中は頻繁に操作されることが多いが、このために、見やすくなり、又、意識付けが可能になり、誤操作が防止できる。
【０００９】
請求項２に記載の発明においては、前記スロットルレバー１２ｂは、主変速レバー１２ａの左前方斜め位置へ配設すると共に、該主変速レバー１２ａより、短くして設けたことにより、この主変速レバー１２ａを操作するときに、スロットルレバー１２ｂが邪魔になることがない。又、逆にこのスロットルレバー１２ｂを操作するときに、主変速レバー１２ａが邪魔にならない。これらの各レバー１２ａ，１２ｂを近い位置へ並べて配置することにより、操作装置９の小型化を図ることができる。
【発明を実施するための最良の形態】
【００１０】
以下、本発明の一実施例を図面に基づいて説明する。
コンバイン１の走行車台２の前方部には、立毛穀稈を刈取りする刈取機３を設けると共に、一方側（左側）上部には、刈取り穀稈を受けて脱穀する脱穀機５と、他方側（右側）上部には、脱穀済みで、選別済みの穀粒を受けて、貯留する穀粒貯留タンク７と、穀粒貯留タンク７の前側上部には、運転作業者が着座して運転操作する操縦席８を設け、該操縦席８の前部には、コンバイン１の各部を始動・停止、及び調節等を行うときに操作する操作装置９を設けた構成である。この操作装置９の表面板９ａには、一部分を上方へふくらませたふくらみ部９ｂを設けると共に、このふくらみ部９ｂには、油圧式無段変速装置１０を変速操作する主変速レバー１２ａと、エンジン１１の回転を変速操作するスロットルレバー１２ｂ等とを設けた構成である。操作装置９等を主に図示して説明する。
【００１１】
前記コンバイン１の走行車台２の下側には、図３で示す如く土壌面を走行する左右一対の走行クローラ４ａを張設した走行装置４を配設し、走行車台２の上側面には、脱穀機５を載置した構成である。走行車台２の前方部の刈取機３で立毛穀稈を刈取りし、この刈取り穀稈は、この刈取機３で後方上部へ移送され、脱穀機５のフィードチェン６ａと、挟持杆６ｂとで引継ぎされて、挟持移送されながら脱穀される。脱穀済みで選別済み穀粒は、脱穀機５の右横側に配設した穀粒貯留タンク７内へ一時貯留される。
【００１２】
前記走行車台２の前方部には、図３で示す如く前端位置から立毛穀稈を分離するナローガイド１３ａ、及び各分草体１３ｂと、立毛穀稈を引起す各引起装置１３ｃと、引起された穀稈を掻込みする穀稈掻込移送装置１４の各掻込装置１４ａと、掻込された穀稈を刈取る刈刃装置１３ｄと、刈取りされた穀稈を挟持移送して、脱穀機５のフィードチェン６ａと、挟持杆６ｂとへ受渡しする穀稈掻込移送装置１４の根元・穂先移送装置１５ａ・１５ｂ等からなる刈取機３を設けている。該刈取機３は、油圧駆動による伸縮シリンダ１６により、土壌面に対して、昇降自在に移動する構成である。
【００１３】
前記刈取機３の前方下部から後方上部へ傾斜する支持杆１７ａの上端部には、左右方向に支持パイプ杆１７ｂを設け、この支持パイプ杆１７ｂを走行車台２の上側面に設けた支持装置１７ｃで回動自在に支持させて、伸縮シリンダ１６の作動により、刈取機３は支持パイプ杆１７ｂを回動中心として、上下に回動する構成である。
【００１４】
前記刈取機３の穀稈掻込移送装置１４によって形成される穀稈移送経路中には、刈取られて移送される穀稈に接触作用することにより、脱穀機５へ穀稈の供給の有無を検出する穀稈センサ３ａを設けた構成である。
【００１５】
前記穀粒貯留タンク７側の操縦席８の前部横側には、図１、及び図２で示す如くコンバイン１を始動、停止、及び各部を調節等の操作を行う、詳細は後述する操作装置９と、前部の前操作装置１８等と、これら操作を行う作業者が搭乗し、着座して運転操作する操縦席８とを設け、この操縦席８の下側で、走行車台２の上側面には、エンジン１１を載置し、このエンジン１１をカバーするエンジンカバー１１ａを設け、このエンジンカバー１１ａの上側には、操縦席８を載置すると共に、後方部には、穀粒貯留タンク７を配設する。これら走行装置４と、刈取機３と、脱穀機５と、エンジン１１等により、コンバイン１の機体１ａを形成した構成である。
【００１６】
前記操作装置９の表面板９ａの一部分には、図１、及び図２で示す如く略円形状で所定寸法上方へ突出させて、ふくらませたふくらみ部９ｂを設け、このふくらみ部９ｂには、走行車速を変速する油圧式無段変速装置１０を変速操作する主変速レバー１２ａと、エンジン１１の回転を変速操作するスロットルレバー１２ｂと、走行用のギャーケース２０の横側へ設けた副変速ギャーケース（図示せず）を変速操作する副変速レバー１２ｃと、脱穀機５、刈取機４とを始動、及び停止操作する刈脱レバー１２ｄ等とを設けた構成である。
【００１７】
立毛穀稈を刈取り作業のときに、走行車速を変速する油圧式無段変速装置１０を変速操作する主変速レバー１２ａと、エンジン１０の回転を変速するスロットルレバー１２ｂとは、操作装置９の表面板９ａの一部分を上方へふくらませたふくらみ部９ｂを設けたことにより、これらの各レバー１２ａ，１２ｂは収穫作業中は、頻繁に操作されることが多いが、このために、見やすくなり、又、意識付けが可能になり、誤操作が防止できる。
【００１８】
前記操作装置９へ設けたスロットルレバー１２ｂは、図１、及び図２で示す如く主変速レバー１２ａの左前方斜め位置へ配設すると共に、この主変速レバー１２ａにより、レバー長さを短くして設けた構成である。
【００１９】
前記スロットルレバー１２ｂは、主変速レバー１２ａの左前方斜め位置へ配設すると共に、この主変速レバー１２ａより、レバー長さを短くして設けたことにより、この主変速レバー１２ａを操作するときに、スロットルレバー１２ｂが邪魔になることがない。又、逆にこのスロットルレバー１２ｂを操作するときに、主変速レバー１２ａが邪魔にならない。これらにより、操作が容易である。これらの各レバー１２ａ，１２ｂを近い位置へ並べて配置することにより、操作装置９の小型化を図ることができる。
【００２０】
前記操縦席８の前部には、図１、及び図２で示す如く前操作装置１８を設けた構成である。この前操作装置１８の表面板１８ａには、各種スイッチ１９ａと、停止スイッチ１９ｂと、方向制御レバー１９ｃと、警報装置１９ｄ等とを設けた構成である。又、前操作装置１８内には、制御装置（図示せず）を設けた構成である。
【００２１】
前記走行車台２の前端部に装架した走行用のミッションケース２０内の伝動機構２０ａの伝動経路中には、その出力に基づいて、走行車速を検出するポテンションメータ方式の車速センサ２０ｂを設けた構成である。
【００２２】
前記ミッションケース２０の近傍部には、図１、及び図３で示す如く油圧式無段変速装置１０を設けて、ミッションケース２０内の伝動機構２０ａを変速回転駆動し、走行車速を変更する構成である。油圧式無段変速装置１０は、油圧ケース内へ油圧ポンプ、及び油圧モータ（これら共に図示せず）等によりなる構成である。主変速レバー１２ａの操作により、油圧ポンプ、及び油圧モータ等が変更制御され、ミッションケース２０で回転駆動される各走行クローラ４ａの回転速度が変更制御され、走行車速が変更制御される構成である。
【００２３】
前記穀粒貯留タンク７内へ貯留した貯留穀粒を機外へ排出するこの穀粒貯留タンク７の後側には、縦移送螺旋２１ａを内装した排出支持筒２１を略垂直姿勢で旋回自在に装着して設け、この排出支持筒２１の上端部には、その全長がコンバイン１の前後長に亘る機外へ穀粒を排出する排出螺旋２２ａを伸縮自在に内装した排出オーガ２２を伸縮自在、上下回動自在、及び左右旋回自在に前後方向に配設した構成である。
【００２４】
前記駆車ブレーキ装置２３には、図４、及び図５で示す如くブレーキペタル２３ｂの踏み込みにより、作動して戻らなくなるクラッチ装置２５を設けた構成である。このクラッチ装置２５の解除は、主変速レバー１２ａの操作により、行うことのできる構成である。
【００２５】
前記ブレーキペタル２３ｂの踏み込みにより、ブレーキワイヤ２５ｃが引かれて、ブレーキ力を掛ける構成である。ブレーキワイヤ２５ｃで引かれるブレーキプレート２５ａには、クラッチ用のクラッチ爪部２５ｂを設けた構成である。
【００２６】
これにより、前記ブレーキワイヤ２５ｃで引かれるブレーキプレート２５ａには、クラッチ用のクラッチ爪部２５ｂを設けたことにより、たわみ、バラツキ等の影響を受けることなく、安定したブレーキ性能を得ることができる。又、部品点数の減少を図ることができる。
【００２７】
前記駆車ブレーキ装置２３は、図４、及び図５で示す如く走行車台２の前部の左・右ステップ台２ａ，２ｂに設けた左・右支持板２ｃ，２ｄで、回動軸２３ｃを回動自在に軸支した構成であり、この回動軸２３ｃの左端部は、左ステップ台２ａより、突出させて設けた構成である。
【００２８】
前記駆車ブレーキ装置２３の回動軸２３ｃの右側部には、図４、及び図５で示す如く略Ｕ字形状のペタルアーム２３ａの一方側端部を設け、他方側の端部には、ブレーキペタル２３ｂを設けると共に、ハンドル２３ｄを装着して設けた構成である。
【００２９】
前記回動軸２３ｃの左端部には、ブレーキプレート２５ａを設け、このブレーキプレート２５ａの外形の円形状部には、クラッチ爪部２５ｂを設けると共に、このブレーキプレート２５ａには、ブレーキワイヤ２５ｃの一方側端部を取付ピン２５ｄで装着した構成である。又、他端部は刈取クラッチレバー２７へ設けた構成であり、ブレーキワイヤ２５ｃでブレーキプレート２５ａと、刈取クラッチレバー２７とを接続した構成である。
【００３０】
前記左支持プレート２ｃには、図４、及び図５で示す如くアーム２４を取付ピン２４ｂで回動自在に軸支して設けた構成である。このアーム２４の一方側の他端部には、爪部２４ａを設け、この爪部２４ａと、ブレーキプレート２５ａのクラッチ爪部２５ｂとを噛合させた構成である。このアーム２４の爪部２４ａの近傍部と、主変速レバー１２ａとは、ワイヤ１２ｅと接続させた構成である。又、アーム２４の爪部２４ａの反対側端部と、ワイヤ１２ｅの固定用として設けた取付板１２ｆとの間には、スプリング２６を設けた構成である。
【００３１】
前記駆車ブレーキ装置２３の回動軸２３ｃの左端部は、図５で示す如く左ステップ台２ａより、突出させて設けると共に、左端部には、ブレーキプレート２５ａを設けた構成である。
【００３２】
これにより、駆車ブレーキ装置２３のブレーキ力を解除する主変速レバー１２ａと、ブレーキプレート２５ａとは、近接させて配設でき、このために、ワイヤ１２ｅを短くすることができる。又、ワイヤ１２ｅが短くなることにより、フィーリングがよくなる。
【００３３】
始動用の安全スイッチ２８は、図４、及び図５で示す如く左側方向へ延長して設けた回動軸２３ｃの左側部に設けた構成である。
これにより、延長した前記回動軸２３ｃの作動時のたわみの影響を受けにくくなる。
【００３４】
前記ブレーキワイヤ２５ｃで引っ張るブレーキプレート２５ａには、図４、及び図５で示す如くクラッチ用のクラッチ爪部２５ｂを設けると共に、アーム２４には、スプリング２６を設けたことにより、ブレーキ力を解除後に、主変速レバー１２ａを自動で元の位置へ復元させることができる。
【００３５】
前記ブレーキプレート２５ａの外形部に設けたクラッチ爪部２５ｂは、図４で示す如く所定間（イ）には、クラッチ爪部２５ｂを設けない構成である。
これにより、前記ブレーキプレート２５ａの所定間には、クラッチ爪部２５ｂを設けないことにより、アーム２４には、ストッパを別に設ける必要がなく、コスト低減になる。
【００３６】
前記回動軸２３ｃを軸支する左支持板２ｃには、図４、及び図５で示す如くアーム２４の回動支点となる取付ピン２４ｂを設けた構成である。
これにより、バラツキがなくなり、安定した組み付けが行える。
【００３７】
前記駆車ブレーキ装置２３で駆車ブレーキ力を負荷し、クラッチ装置２５で解除するこの解除を、主変速レバー１２ａと、刈取クラッチレバー２７との両者で解除すべく、図６〜図８で示す如く設けた構成である。
【００３８】
駆車ブレーキ力の解除は、図６〜図８で示す如くアーム２４へワイヤ１２ｅを設け、このワイヤ１２ｅを主変速レバー１２ａへ接続すると共に、アーム２４ａへ設けた他の一体のワイヤ２７ａを刈取クラッチレバー２７へ接続させた構成である。これら主変速レバー１２ａの操作、又は刈取クラッチレバー２７のいずれでも、駆車ブレーキ力を解除できる構成である。
【００３９】
前記刈取クラッチレバー２７には、ワイヤ２７ａ以外に刈取機３を駆動させる「入」−「切」クラッチ方式の刈取テンション装置（図示せず）へ接続した刈取クラッチワイヤ２７ｂを設けた構成である。
【００４０】
ブレーキ力解除用の前記ワイヤ１２ｅと、ワイヤ２７ａとは、略並列に設けた構成である。
これにより、前記刈取クラッチレバー２７を「入」操作すると、ブレーキ力解除用のアーム２４が作動し保持され、刈取り作業中にブレーキペタル２３ｂを踏み操作しても、ブレーキ力は保持されなくなり、畦ぎわでの穀稈の掻込み作業時に、ブレーキ力の解除の手間を省くことができる。
【図面の簡単な説明】
【００４１】
【図１】操作装置部等の右側の拡大側面図
【図２】操作装置部等の拡大平面図
【図３】コンバインの左側全体側面図
【図４】他の実施例を示す図で、駆車ブレーキ装置部等の拡大側面図
【図５】他の実施例を示す図で、駆車ブレーキ装置部等の拡大平面図
【図６】他の実施例を示す図で、駆車ブレーキ装置部等の拡大側面図
【図７】他の実施例を示す図で、駆車ブレーキ装置の刈取クラッチレバー部の拡大側面図
【図８】他の実施例を示す図で、駆車ブレーキ装置部の拡大平面図
【符号の説明】
【００４２】
２      走行車台
８      操縦席
９      操作装置
９ａ    表面板
９ｂ    ふくらみ部
１０    油圧式無段変速装置
１１    エンジン
１２ａ  主変速レバー
１２ｂ  スロットルレバー
【図１】
2006094781.tif 000003
【図２】
2006094781.tif 000004
【図３】
2006094781.tif 000005
【図４】
2006094781.tif 000006
【図５】
2006094781.tif 000007
【図６】
2006094781.tif 000008
【図７】
2006094781.tif 000009
【図８】
2006094781.tif 000010